【事件の表示】
　特願２０００−２１１６５８「ネットワークシステム、情報処理装置、デバイスモニタ方法、及びコンピュータ読み取り可能な記憶媒体」拒絶査定不服審判事件〔平成１３年　４月　６日出願公開、特開２００１−　９２７６４〕について、次のとおり審決する。
【結　論】
　本件審判の請求は、成り立たない。
【理　由】
第１．手続の経緯
　本願は，特許法第４１条に基づく優先権主張を伴う平成１２年７月１２日（優先日，平成１１年７月１６日）の出願であって，平成１７年７月１５日に拒絶査定がなされ，これに対し，同年８月２５日に拒絶査定不服審判が請求されると共に同年９月２６日付けで手続補正がなされたものである。
　
第２．補正却下の決定
［補正却下の決定の結論］
　平成１７年９月２６日付けの手続補正を却下する。
　
［理由］
１．補正後の本願発明
　本件補正により，特許請求の範囲の請求項１は，次のように補正された。
　
　　【請求項１】
　少なくともサーバ，情報処理装置及びデバイスを含むネットワークシステムであって，
　上記サーバは，
　上記デバイスの位置を階層的に表した階層型位置情報を記憶する第１の記憶手段と，
　上記第１の記憶手段に記憶されている階層型位置情報を上記情報処理装置に送信する第１の送信手段とを備え，
　上記デバイスは，
　上記デバイスを示すアイコンデータを記憶する第２の記憶手段と，
　上記第２の記憶手段へ記憶したアイコンデータを上記情報処理装置に送信するための制御を行う制御手段とを備え，
　上記情報処理装置は，
　上記デバイスの位置を階層的に表した階層型位置情報を上記サーバから受信する第１の受信手段と，
　上記第１の受信手段により受信された階層型位置情報に対応するデバイスに，アイコンデータを取得するための要求を送信する第２の送信手段と，
　上記第１の受信手段により受信された階層型位置情報に対応するデバイスからアイコンデータを受信する第２の受信手段と，
　上記第２の受信手段により受信されたアイコンデータを，上記第１の受信手段により受信された階層型位置情報に基づいて，当該階層型位置情報に対応するマップデータと重ねて表示する表示手段とを備えることを特徴とするネットワークシステム。
　
　本件補正は，請求項１に記載した発明を特定するために必要な事項である「上記第２の受信手段により受信されたアイコンデータを，上記第１の受信手段により受信された階層型位置情報に基づいて表示する表示手段」に，「当該階層型位置情報に対応するマップデータと重ねて」という限定を付加するものであり，特許法第１７条の２第４項第２号の特許請求の範囲の減縮を目的とするものに該当する。
　
２．独立特許要件
　そこで，本件補正後の請求項１に係る発明（以下，「本願補正発明」という。）が，特許出願の際独立して特許を受けることができるものであるか（特許法第１７条の２第５項において準用する同法１２６条第５項の規定に適合するか）について，以下に検討する。
　
（１）刊行物
（１−１）刊行物１記載の発明
　原査定の拒絶の理由に引用された，特開平１０−３２０３４１号公報（以下，「刊行物１」という。）には，図面と共に以下の記載がなされている。
　
【０００１】
【発明の属する技術分野】本発明は、コンピュータと入出力機器等が接続されたネットワークにおける入出力機器の指定方法およびシステムならびにプログラムを記録した記録媒体に関するものである。
　
【００２１】
【実施例】
［実施例１］本発明の実施例について図面を参照して説明する。まず，第１の実施例である実施例１について説明する。図１に，実施例１の前提となるネットワークの構成を示す。事務所内等におけるＬＡＮ（ローカル・エリア・ネットワーク）の通信媒体１には，個人用コンピュータ（以下，パソコンという）と入出力機器であるプリンタ，ファクシミリ装置（以下，ＦＡＸという），デジタル複写機等が接続されている。ここでは，ＬＡＮの通信媒体１に，６台のパソコン（ＰＣサーバ１０，パソコンＡ１１〜パソコンＥ１５）と３台のプリンタ（プリンタＡ２１〜プリンタＣ２３）と１台のＦＡＸ（ＦＡＸ３１）と２台のデジタル複写機（デジタル複写機Ａ４１，デジタル複写機Ｂ４２）と２台のスキャナ（スキャナＡ５１，スキャナＢ５２）が接続されている。
【００２２】６台のパソコンの中で，ＰＣサーバ１０はサーバ専用機であり，他のパソコンよりも処理能力の大きなＣＰＵと，大容量の固定ディスク装置を備えている。各パソコンからの印刷データは，印刷指示を行ったパソコン内に一旦スプールされ，その後スケジューリングに従って通信媒体１を介してＬＡＮ上のプリンタのいずれかに送られる。通信媒体１としては，具体的には通信ケーブル，無線通信，光ファイバ等が使用できる。
【００２３】図２は，パソコンＡ１１の構成を示す図である。パソコンＢ１２も同様の構成を有している。パソコンＡ１１は，ＣＰＵ（中央処理装置）１１０とバス１１１を備え，また，主メモリとしてのＲＡＭ１１２，ビデオメモリとしてのＶＲＡＭ１１３，固定ディスク装置１１４，ネットワークインターフェース回路１１５，ディスプレイ装置１１６，キーボード１１７，マウス１１８等がバス１１１を介してＣＰＵ１１０に接続されている。ディスプレイ装置１１６としては，ＣＲＴ，液晶ディスプレイ，プラズマディスプレイ等が使用できる。操作者からパソコンＡ１１への指示，入力はキーボード１１７，マウス１１８等によって行う。マウス１１８は，タブレット装置，トラックボール装置，タッチパネル装置等の任意のポインティング装置により代替可能である。
【００２４】ＣＰＵ１１０はＲＡＭ１１２上にロードされた各種プログラムを実行し，各種処理や周辺装置の制御を行う。ＶＲＡＭ１１３は，ディスプレイ装置１１６に表示する画像や文字のデータを格納するためのものである。固定ディスク装置１１４は，ＲＡＭ１１２にロードされる各種プログラムやデータおよび各種ファイルを保存しておくためのものである。ネットワークインターフェース回路１１５は，パソコンＡ１１をＬＡＮの通信媒体１に接続するための回路である。パソコンＡ１１は，ネットワークインターフェース回路１１５を介してＬＡＮに接続された入出力機器や他のパソコンとのデータのやり取りを行う。
　
【００３１】図５は，実施例１における入出力機器の選択のためのレイアウト図の階層関係を示す図である。図６の入出力機器選択ダイアログボックスにおいては，全機種のアイコンを表示したレイアウト図をまず表示する。その全機種のレイアウト図から，機種を指定することによって，プリンタ選択用のレイアウト図，ＦＡＸ選択用のレイアウト図，スキャナ選択用のレイアウト図に表示を切り替えることができる。これらの各レイアウト図のデータは，各パソコンＡ１１〜パソコンＥ１５の固定ディスク装置１１４等に格納してもよいが，ＰＣサーバ１０に格納して一括管理する。この場合，変更等の作業が容易となる。また，図１５のような機器情報テーブルについても同様に各パソコンまたはＰＣサーバ１０に格納しておく。ＰＣサーバ１０上にレイアウト図，機器情報テーブルのデータを格納した場合，各パソコンからそれらのデータを自由に参照できるようにしておく。
　
【００４４】図１１は，図６の全機種の入出力機器選択ダイアログボックスを表示する入出力機器選択プログラムの処理を示すフローチャートである。入出力機器選択プログラムが起動されると，処理３０１で図６のような入出力機器選択ダイアログボックスを表示する。次に処理３０２において入出力機器選択ダイアログボックスの中央部に入出力機器の全機種を表示したレイアウト図を表示する。次に呼出処理３０３において表示切替プログラムを呼び出す。このプログラムはレイアウト図を機種指定に応じたレイアウト図に切り替えるものである。このプログラムの処理については，後に図１２によって説明する。
【００４５】次に判断３０４において，レイアウト図上に表示されたいずれかのアイコンがクリックされたか否かを判断する。クリックされていれば，処理３０５に進み，アイコンを選択状態とするとともに，そのアイコンに対応する機器の機器情報を図１５の機器情報テーブルから取得して仕様等を表示する。処理３０５の次は呼出処理３０３に戻る。判断３０４においてアイコンがクリックされていなければ，判断３０６に進み，「キャンセル」ボタンがクリックされたか否かを判断する。クリックされていれば，何も行わずに入出力機器選択プログラムを起動した呼び出し元に戻る。
【００４６】「キャンセル」ボタンがクリックされていなければ，判断３０７に進み，「ＯＫ」ボタンがクリックされたか否かを判断する。クリックされていれば，処理３０８に進んで入出力機器選択処理を行い，選択されたアイコンに対応する機器を入出力機器として設定する。そして，呼び出し元に戻る。判断３０７において，「ＯＫ」ボタンがクリックされていなければ呼出処理３０３に戻り，イベント待ちループを形成する。「ＯＫ」ボタンまたは「キャンセル」ボタンがクリックされるまで，イベント待ちループから脱出することはない。
【００４７】図１２は，表示切替プログラムの処理を示すフローチャートである。表示切替プログラムが呼び出されると，判断４０１において，機種指定領域の「全機種」が指定されたか否かを判断する。「全機種」が指定されていれば，処理４０２に進み入出力機器の全機種を表示するレイアウト図を表示する。全機種のレイアウト図は，図１４のように作成されたレイアウト図のデータをそのまま表示すればよい。処理４０２の後は表示切替プログラムの呼び出し元に戻る。
【００４８】判断４０１において「全機種」が指定されていなければ，次の判断４０３に進み，機種指定領域の「プリンタ」が指定されたか否かを判断する。「プリンタ」が指定されていれば，処理４０４に進みプリンタのレイアウト図を表示する。プリンタのレイアウト図は，図１５の機器情報テーブルからプリンタ機能を有する機器を検索し，全てのプリンタ機能を有する機器をプリンタアイコンにより表示すればよい。処理４０４の後は呼び出し元に戻る。
【００４９】判断４０３において「プリンタ」が指定されていなければ，次の判断４０５に進み，機種指定領域の「ＦＡＸ」が指定されたか否かを判断する。「ＦＡＸ」が指定されていれば，処理４０６に進みＦＡＸのレイアウト図を表示する。ＦＡＸのレイアウト図は，図１５の機器情報テーブルからＦＡＸ機能を有する機器を検索し，全てのＦＡＸ機能を有する機器をＦＡＸアイコンにより表示すればよい。処理４０６の後は呼び出し元に戻る。
【００５０】判断４０５において「ＦＡＸ」が指定されていなければ，次の判断４０７に進み，機種指定領域の「スキャナ」が指定されたか否かを判断する。「スキャナ」が指定されていれば，処理４０８に進みスキャナのレイアウト図を表示する。スキャナのレイアウト図は，図１５の機器情報テーブルからスキャナ機能を有する機器を検索し，全てのスキャナ機能を有する機器をスキャナアイコンにより表示すればよい。処理４０８の後は呼び出し元に戻る。
【００５１】判断４０７において「スキャナ」が指定されていなければ，表示切替プログラムを起動した呼び出し元に戻る。
　
【００５７】以上に説明したレイアウト図のデータおよび機器情報テーブルのデータは，各パソコンＡ１１〜パソコンＥ１５のそれぞれに格納してもよいが，ＰＣサーバ１０に格納して一括管理する。この場合，変更等の作業が容易となる。各パソコンからは，ＰＣサーバ１０上のレイアウト図，機器情報テーブルのデータを自由に参照できるようにしておく。
【００５８】以上に説明した実施例１では，入出力機器選択ダイアログボックスにおいて，入出力機器が配置された事務所等のレイアウト図が表示され，そのレイアウト図には，事務所内の実際の入出力機器の位置に対応した位置に，入出力機器を示すアイコンが表示されている。アイコンの配置と実際の事務所内での入出力機器の配置が一致しているため，アイコンと入出力機器の実機との対応関係が分かり易く，操作者の意図した入出力機器が間違いなく簡単に設定できるという効果がある。
【００５９】入出力機器選択ダイアログボックスにおいては，入出力機器が機能ごとに別々に表示され，機能別の表示では複数の機能を有する複合機であってもその機能を示すアイコンにより表示されるので，複数の機能を有する複合機でも簡単かつ確実に所望の機能を選択することができ，初心者であっても間違いなく入出力機器の選択を行うことができる。例えば，プリンタとＦＡＸとが明確に区別して表示されるので，初心者がＦＡＸ送信するつもりでプリンタに出力してしまうというようなことがなくなる。さらに，全機種のレイアウト図と機器情報テーブルとから入出力機器が機能ごとに別々に表示することができるので，各機種ごとのレイアウト図を作成する必要がなく，レイアウト図作成のための労力が著しく減少する。
　
　以上の刊行物１の記載によれば，刊行物１には，次の発明（以下，「刊行物１記載発明」という。）が記載されていると認められる。
　
「　ＰＣサーバ，パソコン，入出力機器が接続されたネットワークであって，
　ＰＣサーバ及びパソコンは，固定ディスク装置，ネットワークインターフェース回路及びディスプレイ装置を備え，
　ＰＣサーバは，事務所内の実際の入出力機器の位置に対応した位置に，入出力機器を示すアイコンが表示されるレイアウト図のデータおよび機器情報テーブルのデータを格納して一括管理し，
　パソコンから，ＰＣサーバ上のレイアウト図，機器情報テーブルのデータを自由に参照できる
ネットワーク。」
　
（１−２）刊行物２記載の発明
　同じく，原査定の拒絶の理由に引用された，特開平９−２５１４３４号公報（以下，「刊行物２」という。）には，図面と共に以下の記載がなされている。
　
【０００１】
【発明の属する技術分野】この発明はネットワークに接続された多数の被管理装置を管理装置で管理するネットワーク管理装置および管理方法に関するものである。
　
【００１３】
【発明の実施の形態】以下，この発明の実施の一形態を説明する。
実施の形態１．図１はネットワーク管理装置を結ぶネットワーク全体の接続図を示すもので，１Ａ，１Ｂは管理装置，２Ａ〜２Ｃ，３Ａ〜３Ｃはバス（ＬＡＮ）６Ａ，７Ａを介して管理装置１Ａ，１Ｂに接続された複数の被管理装置，８はバス６Ａ，７Ａ間を接続するネットワーク（ＷＡＮ）である。
【００１４】図２は，この発明の実施の形態１による管理装置を示す構成図であり，図面は管理装置１Ａについて説明する。図において，１１は複数の背景図１１ａ〜１１ｎを格納した背景図データベース，１２は背景図管理アプリケーション，１３は背景図通信アプリケーション（第１の送信手段），１４は設置場所情報通信アプリケーション（第１の受信手段），１６は物理マップ表示アプリケーション（作成手段），１７は表示装置である。なお，他の管理装置１Ｂは管理装置１Ａと全く同じ構成であるから重複説明を省略する。
【００１５】図３は被管理装置を示す構成図であり，図面は被管理装置２Ａについて説明する。図において，４１は管理装置１Ａからバス６Ａを介して背景図を受ける背景図通信アプリケーション（第２の受信手段），４２は背景図を表示装置（表示手段）４３に表示する背景図表示アプリケーション，４４は背景図上に被管理装置２Ａが配置されている場所をクリックするマウス等の指示装置（指示手段），４５は指示装置４４でクリックされた被管理装置２Ａの設置場所情報を生成する設置場所情報生成アプリケーション（情報生成手段），４６は設置場所情報生成アプリケーション４５で生成された設置場所情報を記憶する設置場所情報記憶領域，４７は設置場所情報をバス６Ａを介して管理装置に送る設置場所情報通信アプリケーション（第２の送信手段）である。なお，他の被管理装置２Ｂ，２Ｃ，３Ａ〜３Ｃは被管理装置２Ａと全く同じ構成であるから重複説明を省略する。
【００１６】図４は背景図１１ａの一例を示すビル２Ｆの平面図であり，２０１〜２０５は部屋，２０６は階段，２０７は廊下を示している。
【００１７】次に図５の物理マップ作成手順を示すフローチャートおよび図６の被管理装置の設置場所情報決定手順図に基づいて動作を説明する。まず，被管理装置２Ａは起動工程において，背景図通信アプリケーション４１を起動して，管理装置１Ａに背景図１１ａを要求する。この要求に対して管理装置１Ａは背景図通信アプリケーション１３と背景図管理アプリケーション１２を介して，背景図データベース１１から読み出した背景図１１ａ〜１１ｎの一覧を被管理装置２Ａに転送する（ステップＳＴ５−１）。
【００１８】被管理装置２Ａでは，背景図転送工程において，管理装置１Ａから送られてきた背景図一覧の中から該当する背景図を指定し，当該背景図のＩＤを管理装置１Ａに送る。管理装置１Ａはこの送られてきたＩＤによって転送すべき背景図を決定して被管理装置２Ａに送る（ステップＳＴ５−２）。
【００１９】次いで，被管理装置２Ａでは，表示工程において，送られてきた背景図１１ａを背景図表示アプリケーション４２によって表示装置４３に表示した後（ステップＳＴ５−３），設置場所指定工程において，表示装置４３に表示された背景図上に指示装置４４で自己の設置場所を指定する（ステップＳＴ５−４）。
【００２０】しかる後，情報作成工程において，設置場所情報生成アプリケーション４５で上記指示装置４４によって指定された位置から，図７に示すように設置場所の背景図上の座標（Ｘａ，Ｙａ）を決定して設置場所情報を作成し，設置場所情報記憶領域４６に保存する（ステップＳＴ５−５）。
【００２１】設置場所情報が保存された後，管理装置１Ａは物理マップ作成工程において，物理マップ表示アプリケーション１６が，背景図管理アプリケーション１２を介して得た背景図１１ａと自己の設置場所情報通信アプリケーション１４および複数ある被管理装置の設置場所情報通信アプリケーション４７を介して得た被管理装置の設置場所情報から図８に示す物理マップ１００を作成し，表示装置１７に表示する（ステップＳＴ５−６）。なお，物理マップ１００内の９Ａ〜９Ｃはコネクタ装置，Ｌは各被管理装置２Ａ〜２Ｃ，３Ａ〜３Ｃ，４Ａ〜４Ｃとコネクタ装置９Ａ〜９Ｃを接続する接続線である。
　
【００２３】実施の形態２．図９はこの発明の実施の形態２による管理装置１Ａを示す構成図であり，前記図１と同一部分には同一符号を付して重複説明を省略する。図において，１５は被管理装置から送られてきた設置場所情報を記憶する設置場所情報テーブルである。
【００２４】図１０は動作を説明するフローチャートであり，前記図５のステップＳＴ５−１〜ステップＳＴ５−５とステップＳＴ１０−１〜ステップＳＴ１０−５は同一動作であるから重複説明を省略する。そして，ステップＳＴ１０−６において，被管理装置２Ａと管理装置１Ａの設置場所情報通信アプリケーション４７，１４を介して，被管理装置２Ａから管理装置１Ａに設置場所情報を送り設置場所情報テーブル１５に保存する。この設置場所情報テーブル１５には図１１に示すように，被管理装置ＩＤ８１，背景図ＩＤ８２，座標８３が保存されている。従って，管理装置１Ａは物理マップ作成工程において，物理マップ表示アプリケーション１６が，背景図管理アプリケーション１２を介して得た背景図１１ａと設置場所情報テーブル１５から読み出した被管理装置２Ａの設置場所情報から前記図８に示す物理マップ１００を作成し，表示装置１７に表示する（ステップＳＴ１０−７）。上記の実施の形態２では，管理装置１Ａからの要求を受けてから被管理装置２Ａが設置場所情報記憶領域４６内の情報を管理装置１Ａに送信する方法だけでなく，被管理装置が自発的に送信する方法をとることもできる。
　
　刊行物２の図８には，背景図（図４）と被管理装置の設置場所情報とから作成された物理マップであって，背景図上に被管理装置２Ａ〜２Ｃ，３Ａ〜３Ｃ，４Ａ〜４Ｃを示すアイコンが配置された物理マップが，図示されている。
　
　以上の刊行物２の記載によれば，刊行物２には「実施の形態２」として，次の発明（以下，「刊行物２記載発明」という。）が記載されていると認められる。
　
「　管理装置の設置場所情報テーブルに保存される被管理装置の設置場所情報が，被管理装置ＩＤ，背景図ＩＤ及び背景図上の座標であり，
　物理マップ表示アプリケーションが，設置場所情報テーブルから読み出した被管理装置の設置場所情報と，背景図データベースに格納された背景図（図４）とから，背景図上に被管理装置を示すアイコンが配置された物理マップ（図８）を作成し，表示装置に表示する，ネットワーク。」
　
（１−３）刊行物３記載の発明
　同じく，原査定の拒絶の理由に引用された，特開平９−３２６７９９号公報（以下，「刊行物３」という。）には，図面と共に以下の記載がなされている。
　
【請求項１】  複数の電子機器の間で制御信号を通信するシステムにおいて，
上記複数の電子機器の少なくとも一部は固有情報を記憶したメモリ手段を有し，
制御側の電子機器である第１の電子機器より上記メモリ手段を有する被制御側の電子機器である第２の電子機器に上記固有情報を要求するコマンドが送信されるとき，上記第２の電子機器は上記メモリ手段より上記固有情報を読み出して上記第１の電子機器にレスポンスとして返信することを特徴とする通信制御方法。
　
【請求項５】  上記第１の電子機器はディスプレイを有し，
上記固有情報は上記第２の電子機器を示すアイコンを上記ディスプレイに表示するためのアイコン情報であり，
上記第１の電子機器は，上記第２の電子機器より返信された上記アイコン情報に基づいて，上記ディスプレイに上記第２の電子機器を示すアイコンを表示することを特徴とする請求項１に記載の通信制御方法。
　
【００４０】本実施の形態において，コンピュータ１３には編集アプリケーションプログラムがインストールされており，ユーザはディスプレイ１３ａに表示されるコントロールパネル上の操作でＶＴＲ１１やカムコーダ１２を制御し，編集作業を実現することができる。ここで，ディスプレイ１３ａに表示されるコントロールパネルには，ＶＴＲ１１やカムコーダ１２が持つ個々の機能がボタン等の形式で示される。
【００４１】上述せずも，ＶＴＲ１１やカムコーダ１２は，それぞれ固有情報として自己の機能を示す機能情報と，自己を示すアイコンを表示するためのアイコン情報とを記憶したメモリ手段を有している。コンピュータ１３は，編集作業を行う際に，ＶＴＲ１１やカムコーダ１２に対して，上述したアイコン情報や機能情報を要求するコマンドを送信する。そして，それに対して，ＶＴＲ１１やカムコーダ１２はコンピュータ１３に対してアイコン情報や機能情報をレスポンスとして返信する。
【００４２】ここで，図１に示す通信システム１０において，コンピュータ１３よりＶＴＲ１１に，アイコン情報や機能情報を要求するコマンドを送信する場合を考える。
【００４３】この場合，最初にコンピュータ１３よりＶＴＲ１１に送信するＣＯＮＴＲＯＬコマンドのフォーマットは，図３Ａに示すようになる。それに対して，ＶＴＲ１１のＶＴＲサブデバイス１６よりコンピュータ１３に返信するレスポンスのフォーマットは，図３Ｂに示すようなＡＣＣＥＰＴＥＤレスポンスのフォーマットとなる。このレスポンスのフォーマットにおいて，ＯＰＲは，アイコン情報または機能情報と，その情報の記述形式，例えばビットマップ形式，ＪＰＥＧ（JointPhotographic Experts Group）形式，さらにはインターネット用の言語形式，例えばＨＴＭＬ（HyperText Markup Language），ＶＲＭＬ(Virtual Reality Modeling Language），Ｊａｖａ  Ｓｃｒｉｐｔ（  Sun社と米Netscape Communications Corp. が開発したスクリプト言語）等を示すものとなる。
【００４４】仮に，ＶＴＲ１１がアイコン情報および機能情報を記憶したメモリ手段を有していないとすれば，ＣＯＮＴＲＯＬコマンドの要求に応じることができないことから，ＶＴＲ１１のＶＴＲサブデバイス１６よりコンピュータ１３に返信するレスポンスのフォーマットは，図３Ｃに示すようなＮＯＴ−ＩＭＰＬＥＭＥＮＴＥＤレスポンスのフォーマットとなる。
【００４５】図３Ｂに示すようなＡＣＣＥＰＴＥＤレスポンスを受信したコンピュータ１３は，以下のような制御動作をする。すなわち，アイコン情報が得られるときは，そのアイコン情報に基づいて，ディスプレイ１３ａにＶＴＲ１１を示すアイコンを表示するように制御する。また，機能情報が得られるときは，その機能情報に基づいて，ＶＴＲ１１が持つ個々の機能をボタン等の形式で示したコントロールパネルをディスプレイ１３ａに表示するように制御する。なお，機能情報には，そのコントロールパネルの表示データを含んでいてもよい。
　
　以上の刊行物３の記載によれば，刊行物３には，次の発明（以下，「刊行物３記載発明」という。）が記載されていると認められる。
　
「　被制御側電子機器は，
　被制御側電子機器を示すアイコン情報を記憶したメモリ手段を備え，
　制御側電子機器より被制御側電子機器にアイコン情報を要求するコマンドを送信されると，制御側電子機器に対してアイコン情報を返信し，
　制御側電子機器は，
　被制御側電子機器にアイコン情報を要求するコマンドを送信し，
　被制御側電子機器よりアイコン情報が得られるときは，そのアイコン情報に基づいてディスプレイに被制御側電子機器を示すアイコンを表示する，
　通信制御方法。」
　
（２）対比
　本件補正発明と刊行物１記載発明を対比すると，刊行物１記載発明の「ＰＣサーバ」，「パソコン」，「入出力機器」は，それぞれ，本願補正発明の「サーバ」，「情報処理装置」，「デバイス」に相当する。
　
　刊行物１記載発明の「ＰＣサーバ，パソコン，入出力機器が接続されたネットワーク」は，本願補正発明の「サーバ，情報処理装置及びデバイスを含むネットワークシステム」といえる。
　
　刊行物１記載発明の「事務所内の実際の入出力機器の位置に対応した位置に，入出力機器を示すアイコンが表示されるレイアウト図」は，本願補正発明の「デバイスの位置を階層的に表した階層型位置情報」と，デバイスの位置を表した情報である点で共通する。
　
　刊行物１記載発明のＰＣサーバが備える「固定ディスク装置」は，ＰＣサーバがレイアウト図のデータおよび機器情報テーブルのデータを格納するから，
　本願補正発明の「上記デバイスの位置を階層的に表した階層型位置情報を記憶する第１の記憶手段」と，
　デバイスの位置を表した情報を記憶する第１の記憶手段である点で共通する。
　
　刊行物１記載発明のＰＣサーバが備える「ネットワークインターフェイス」は，パソコンがＰＣサーバ上のレイアウト図，機器情報テーブルのデータを自由に参照できるから，
　本願補正発明の「上記第１の記憶手段に記憶されている階層型位置情報を上記情報処理装置に送信する第１の送信手段」と，
　デバイスの位置を表した情報を情報処理装置に送信する第１の送信手段である点で共通する。
　
　刊行物１記載発明のパソコンが備える「ネットワークインターフェース」は，パソコンがＰＣサーバ上のレイアウト図，機器情報テーブルのデータを自由に参照できるから，
　本願補正発明の「上記デバイスの位置を階層的に表した階層型位置情報を上記サーバから受信する第１の受信手段」と，
　デバイスの位置を表した情報をサーバから受信する第１の受信手段である点で共通する。
　
　刊行物１記載発明のパソコンが備える「ディスプレイ装置」は，ＰＣサーバに格納され，ネットワークインターフェースにより受信された“事務所内の実際の入出力機器の位置に対応した位置に，入出力機器を示すアイコンが表示されるレイアウト図”を表示するから，
　本願補正発明の「上記第２の受信手段により受信されたアイコンデータを，上記第１の受信手段により受信された階層型位置情報に基づいて，当該階層型位置情報に対応するマップデータと重ねて表示する表示手段」と，
　デバイスの位置を表した情報を表示する表示手段である点で共通する。
　
　したがって，両者の発明の一致点，相違点は，以下のとおりである。　
　
［一致点］
「　少なくともサーバ，情報処理装置及びデバイスを含むネットワークシステムであって，
　上記サーバは，
　上記デバイスの位置を表した情報を記憶する第１の記憶手段と，
　上記第１の記憶手段に記憶されている上記デバイスの位置を表した情報を上記情報処理装置に送信する第１の送信手段とを備え，
　上記情報処理装置は，
　上記デバイスの位置を表した情報を上記サーバから受信する第１の受信手段と，
　上記デバイスの位置を表した情報を表示する表示手段と
を備えるネットワークシステム。」である点。
　
［相違点］
・相違点１
　第１の記憶手段が記憶し，第１の送信手段が送信し，第１の受信手段が受信する「デバイスの位置を表した情報」が，本願補正発明では，「デバイスの位置を階層的に表した階層型位置情報」であるのに対して，刊行物１記載発明では，事務所内の実際の入出力機器の位置に対応した位置に，入出力機器を示すアイコンが表示されているレイアウト図であり，
　デバイスの位置を表した情報を表示する表示手段が，本願補正発明では，「アイコンデータを，上記第１の受信手段により受信された階層型位置情報に基づいて，当該階層型位置情報に対応するマップデータと重ねて表示する表示手段」であるのに対して，刊行物１記載発明では，そのようなものではない点。
　
・相違点２
　本願補正発明では，デバイスが，「デバイスを示すアイコンデータを記憶する第２の記憶手段」と，「第２の記憶手段へ記憶したアイコンデータを上記情報処理装置に送信するための制御を行う制御手段」とを備え，情報処理装置が，「上記第１の受信手段により受信された階層型位置情報に対応するデバイスに，アイコンデータを取得するための要求を送信する第２の送信手段」と，「上記第１の受信手段により受信された階層型位置情報に対応するデバイスからアイコンデータを受信する第２の受信手段」とを備え，表示手段が表示するアイコンデータが，第２の受信手段により受信されたアイコンデータであるのに対して，
　刊行物１記載発明では，そのようなものではない点。
　
（４）判断
（４−１）相違点１
　刊行物２記載発明の「被管理装置ＩＤ，背景図ＩＤ及び背景図上の座標からなる，被管理装置の設置場所情報」は，“背景図ＩＤ”と“背景図上の座標”とが階層的であるから，「被管理装置の位置を階層的に表した階層型位置情報」といえる。
　刊行物２記載発明の「物理マップ表示アプリケーションが，設置場所情報テーブルから読み出した被管理装置の設置場所情報と，背景図データベースに格納された背景図（図４）とから，背景図上に被管理装置を示すアイコンが配置された物理マップ（図８）を作成し，表示装置に表示する」ことが，被管理装置２Ａ〜２Ｃ，３Ａ〜３Ｃ，４Ａ〜４Ｃのアイコンを，被管理装置の設置場所情報に基づいて，図４の背景図に重ねて表示することであることは，当業者に明らかである。
　
　そして，刊行物１記載発明に刊行物２記載発明を適用して，「上記デバイスの位置を階層的に表した階層型位置情報を記憶する第１の記憶手段」，「上記第１の記憶手段に記憶されている階層型位置情報を上記情報処理装置に送信する第１の送信手段」，「上記デバイスの位置を階層的に表した階層型位置情報を上記サーバから受信する第１の受信手段」，「アイコンデータを，上記第１の受信手段により受信された階層型位置情報に基づいて，当該階層型位置情報に対応するマップデータと重ねて表示する表示手段」とすることは，当業者が容易になし得たことである。
　
（４−２）相違点２
　刊行物３記載発明の「被制御側電子機器」，「アイコン情報」は，それぞれ，本願補正発明の「デバイス」，「アイコンデータ」といえる。
　刊行物３記載発明の「制御側電子機器」は，本願補正発明の「情報処理装置」と，アイコンデータを表示する点で共通する。
　
　刊行物１記載発明に刊行物３記載発明を適用して，デバイスが，「上記デバイスを示すアイコンデータを記憶する第２の記憶手段と，上記第２の記憶手段へ記憶したアイコンデータを上記情報処理装置に送信するための制御を行う制御手段」を備え，情報処理装置が，「デバイスに，アイコンデータを取得するための要求を送信する第２の送信手段と，上記デバイスからアイコンデータを受信する第２の受信手段」を備え，表示手段が，アイコンデータを，上記第１の受信手段により受信された階層型位置情報に基づいて，当該階層型位置情報に対応するマップデータと重ねて表示する際に，デバイスから送信され，上記第２の受信手段により受信されたアイコンデータを用いるようにして，「上記第２の受信手段により受信されたアイコンデータを，上記第１の受信手段により受信された階層型位置情報に基づいて，当該階層型位置情報に対応するマップデータと重ねて表示する表示手段」とすることは，当業者が容易になし得たことである。
　そして，受信した階層型位置情報に対応するデバイスからアイコンデータを取得するようにして，「上記第１の受信手段により受信された階層型位置情報に対応するデバイスに，アイコンデータを取得するための要求を送信する第２の送信手段と，上記第１の受信手段により受信された階層型位置情報に対応するデバイスからアイコンデータを受信する第２の受信手段」とすることは，設計事項である。
　
　そして，本願補正発明のように構成したことによる作用効果も，刊行物１記載発明〜刊行物３記載発明から予測できる程度のものである。
　
　したがって，本願補正発明（請求項１に係る発明）は，刊行物１記載発明〜刊行物３記載発明に基づいて当業者が容易に発明をすることができたものである。
　
３．むすび
　以上のとおり，本件補正は，特許法第１７条の２第５項において準用する同法１２６条第５項の規定に違反するものであり，特許法第１５９条第１項において準用する同法第５３条第１項の規定により却下すべきものである。
　
第３．本願発明
　
１．本願発明
　平成１７年９月２６日付けの手続補正は上記のとおり却下されたので，本願の請求項１に係る発明（以下，「本願発明」という。）は，平成１６年８月３０日付け手続補正書の特許請求の範囲の請求項１に記載された事項により特定される，以下のとおりのものと認める。
　
　　【請求項１】
　少なくともサーバ，情報処理装置及びデバイスを含むネットワークシステムであって，
　上記サーバは，
　上記デバイスの位置を階層的に表した階層型位置情報を記憶する第１の記憶手段と，
　上記第１の記憶手段に記憶されている階層型位置情報を上記情報処理装置に送信する第１の送信手段とを備え，
　上記デバイスは，
　上記デバイスを示すアイコンデータを記憶する第２の記憶手段と，
　上記第２の記憶手段へ記憶したアイコンデータを上記情報処理装置に送信するための制御を行う制御手段とを備え，
　上記情報処理装置は，
　上記デバイスの位置を階層的に表した階層型位置情報を上記サーバから受信する第１の受信手段と，
　上記第１の受信手段により受信された階層型位置情報に対応するデバイスに，アイコンデータを取得するための要求を送信する第２の送信手段と，
　上記第１の受信手段により受信された階層型位置情報に対応するデバイスからアイコンデータを受信する第２の受信手段と，
　上記第２の受信手段により受信されたアイコンデータを，上記第１の受信手段により受信された階層型位置情報に基づいて表示する表示手段とを備えることを特徴とするネットワークシステム。
　
２．刊行物記載の発明
　これに対する刊行物１記載発明〜刊行物３記載発明は，前記「第２．補正却下の決定　２．独立特許要件　（１）刊行物　（１−１）刊行物１記載の発明」〜「第２．補正却下の決定　２．独立特許要件　（１）刊行物　（１−３）刊行物３記載の発明」で認定したとおりである。
　
３．本願発明と刊行物１記載発明との対比・判断
　本願発明は，前記「第２．補正却下の決定　２．独立特許要件」で検討した本願補正発明から，「表示手段」の限定事項である「当該階層型位置情報に対応するマップデータと重ねて」との限定を省いたものである。
　そうすると，本願発明の構成要件をすべて含み，さらに他の構成要件を付加したものに相当する本願補正発明が，前記「第２．補正却下の決定　２．独立特許要件　（４）判断」に記載したとおり，刊行物１記載発明〜刊行物３記載発明に基づいて，当業者が容易に発明をすることができたものであるから，本願発明も同様の理由により，刊行物１記載発明〜刊行物３記載発明に基づいて，当業者が容易に発明をすることができたものである。　
　
４．むすび
　以上のとおり，本願発明は，刊行物１記載発明〜刊行物３記載発明に基づいて，当業者が容易に発明をすることができたものであるから，特許法第２９条第２項の規定により特許を受けることができない。
　よって，結論のとおり審決する。